(57)【要約】  医療従事者が操作するシステムに実行させるプログラムや個人情報の保護方法は、被験者を特定する個人情報を含んだ検査結果画面３をモニタ部２に表示させる表示処理と、表示処理で表示された検査結果画面３の中から個人情報を特定する特定処理と、検査結果画面３を含む撮像画像中から特定処理で特定された個人情報を無効化する無効化処理と、を有する。これにより、外部のユーザに誤って個人情報が表示されることを従来に比べて抑制し、且つ検査結果情報の共有をスムーズに実現する。
2020050109.tif 000002
【特許請求の範囲】
【請求項１】
医療従事者が操作する、臨床検査装置、検査室情報システム、電子カルテを含む病院情報システム、のうち少なくとも何れかのシステムに供えられている表示装置であって、
被験者を特定する個人情報を含んだ検査結果画面を表示する表示部と、
前記検査結果画面の中から前記個人情報を特定し、前記検査結果画面を含む撮像画像中から前記特定された前記個人情報を無効化するための無効化処理を実行する演算処理部と、を有する
ことを特徴とする表示装置。
【請求項２】
請求項１に記載の表示装置において、
前記演算処理部は、前記特定する前記個人情報の種類を選択する選択画面を前記表示部に表示する第１選択処理を実行する
ことを特徴とする表示装置。
【請求項３】
請求項１に記載の表示装置において、
前記演算処理部は、前記検査結果画面に前記個人情報を特定するためのシンボルマークを表示するモードと、前記シンボルマークを表示させないモードと、を実行する
ことを特徴とする表示装置。
【請求項４】
請求項１に記載の表示装置において、
前記演算処理部は、前記特定された前記個人情報が表示される領域を空白、あるいは保護処理することで前記個人情報を無効化するモードと、前記個人情報をそのまま表示するモードと、を選択する選択部を前記表示部に表示する第３選択処理を実行する
ことを特徴とする表示装置。
【請求項５】
請求項１に記載の表示装置において、
前記演算処理部は、前記無効化処理において、情報端末による撮影を検知した時に、前記表示部に表示させている前記検査結果画面の中の前記個人情報が表示される領域を空白、あるいは保護処理する
ことを特徴とする表示装置。
【請求項６】
請求項１に記載の表示装置において、
前記演算処理部は、前記無効化処理において、前記検査結果画面の中から前記個人情報が表示される領域を空白、あるいは保護処理させた画面情報を出力する
ことを特徴とする表示装置。
【請求項７】
臨床検査装置、検査室情報システム、電子カルテを含む病院情報システムのうち少なくともいずれかからなるシステムを操作する医療従事者が用いる、撮影機能を備えている情報端末であって、
前記システムの表示部に表示される被験者を特定する個人情報を含んだ検査結果画面の中から前記個人情報を特定するシンボルマークを画像認識によって検出することで前記個人情報が表示されている領域を特定し、前記特定された前記領域を空白、あるいは保護処理することで無効化する
ことを特徴とする情報端末。
【請求項８】
臨床検査装置、検査室情報システム、電子カルテを含む病院情報システムのうち少なくともいずれかからなるシステムを操作する医療従事者が用いる、撮影機能を備えている情報端末であって、
前記臨床検査装置、前記検査室情報システム、あるいは前記病院情報システム毎に、前記システムの表示部に表示される被験者を特定する個人情報を含んだ検査結果画面の中から、画像処理によって前記個人情報が表示されている領域を特定し、前記特定された前記領域を空白、あるいは保護処理することで無効化する
ことを特徴とする情報端末。
【請求項９】
請求項８に記載の情報端末において、
前記臨床検査装置、前記検査室情報システム、あるいは前記病院情報システムの種類を選択させ、前記選択に応じて前記検査結果画面から画像処理によって前記個人情報が表示されている領域を特定する
ことを特徴とする情報端末。
【請求項１０】
請求項８に記載の情報端末において、
前記検査結果画面に含まれる装置またはシステムを認識するコードを識別し、認識したコードに基づいて前記個人情報が表示されている領域を特定する
ことを特徴とする情報端末。
【請求項１１】
請求項８に記載の情報端末において、
前記検査結果画面に表示された、前記無効化する領域を特定するコード、無効化しない領域を特定するコード、無効化する領域および無効化しない領域を特定するコード、のうち何れかを読み取ることで個人情報が表示されている領域を特定する
ことを特徴とする情報端末。
【請求項１２】
請求項７または８に記載の情報端末において、
グループチャットソフトウェアあるいはグループチャットアプリケーションにおいて、前記無効化された前記検査結果画面を含む撮像画像のみをアップロードさせる
ことを特徴とする情報端末。
【請求項１３】
医療従事者が操作する臨床検査装置、検査室情報システム、電子カルテを含む病院情報システム、撮影機能を備えている情報端末、のうち少なくとも何れかからなるシステムにおける個人情報の保護方法であって、
被験者を特定する個人情報を含んだ検査結果画面を前記臨床検査装置、前記検査室情報システム、あるいは前記病院情報システムに設置されている表示部に表示する表示工程と、
前記表示工程で表示された前記検査結果画面の中から前記個人情報を特定する特定工程と、
前記検査結果画面を含む撮像画像中から前記特定工程で特定された前記個人情報を無効化する無効化工程と、を有する
ことを特徴とする個人情報の保護方法。
【請求項１４】
請求項１３に記載の個人情報の保護方法において、
前記特定工程において、前記臨床検査装置、前記検査室情報システム、あるいは前記病院情報システムに対して、前記検査結果画面に特定のシンボルマークを表示するとともに、前記情報端末に対して、前記シンボルマークを画像認識によって検出することで前記個人情報が表示されている領域を特定し、
前記無効化工程において、前記情報端末に対して、前記領域を空白、あるいは保護処理する
ことを特徴とする個人情報の保護方法。
【請求項１５】
請求項１３に記載の個人情報の保護方法において、
前記特定工程において特定する前記個人情報の種類を選択する選択画面を前記表示部に表示する第１選択工程を更に有する
ことを特徴とする個人情報の保護方法。
【請求項１６】
請求項１４に記載の個人情報の保護方法において、
前記特定工程において表示する前記シンボルマークの表示の有無を選択する選択部を前記表示部に表示する第２選択工程を更に有する
ことを特徴とする個人情報の保護方法。
【請求項１７】
請求項１３に記載の個人情報の保護方法において、
前記特定工程で特定された前記個人情報が表示される領域を前記無効化工程において空白、あるいは保護処理することで前記個人情報を無効化するモードと、前記個人情報をそのまま表示するモードと、を選択する選択部を前記表示部に表示する第３選択工程を更に有する
ことを特徴とする個人情報の保護方法。
【請求項１８】
請求項１３に記載の個人情報の保護方法において、
前記無効化工程において、前記臨床検査装置、前記検査室情報システム、あるいは前記病院情報システムに対して、前記情報端末による撮影を検知した時に、前記表示部に表示されている前記検査結果画面の中の前記個人情報が表示される領域を空白、あるいは保護処理する
ことを特徴とする個人情報の保護方法。
【請求項１９】
請求項１３に記載の個人情報の保護方法において、
前記無効化工程において、前記臨床検査装置、前記検査室情報システム、あるいは前記病院情報システムに対して、前記検査結果画面の中から前記個人情報が表示される領域を空白、あるいは保護処理した画面情報を出力する
ことを特徴とする個人情報の保護方法。
【請求項２０】
請求項１３に記載の個人情報の保護方法において、
前記臨床検査装置、前記検査室情報システム、あるいは前記病院情報システム毎に、前記特定工程において、前記情報端末に対して、前記検査結果画面から画像処理によって前記個人情報が表示されている領域を特定する
ことを特徴とする個人情報の保護方法。
【請求項２１】
請求項２０に記載の個人情報の保護方法において、
前記臨床検査装置、前記検査室情報システム、あるいは前記病院情報システムの種類を選択し、前記選択に応じて、前記特定工程において、前記情報端末に対して、前記検査結果画面から画像処理によって前記個人情報が表示されている領域を特定する
ことを特徴とする個人情報の保護方法。
【請求項２２】
請求項１３に記載の個人情報の保護方法において、
前記特定工程において、前記情報端末に対して、前記検査結果画面に含まれる装置またはシステムを認識するコードを識別し、認識したコードに基づいて前記個人情報が表示されている領域を特定する
ことを特徴とする個人情報の保護方法。
【請求項２３】
請求項１３に記載の個人情報の保護方法において、
前記表示工程において、前記臨床検査装置、前記検査室情報システム、あるいは前記病院情報システムに対して、前記検査結果画面に、前記無効化工程において無効化する領域を特定するコード、無効化しない領域を特定するコード、無効化する領域および無効化しない領域を特定するコード、のうち何れかを表示し、
前記特定工程において、前記情報端末に対して、前記コードを読み取らせることで個人情報が表示されている領域を特定する
ことを特徴とする個人情報の保護方法。
【請求項２４】
請求項１３に記載の個人情報の保護方法において、
グループチャットソフトウェアあるいはグループチャットアプリケーションにおいて、前記無効化工程によって無効化された前記検査結果画面を含む撮像画像のみをアップロードする工程を更に有する
ことを特徴とする個人情報の保護方法。
【請求項２５】
医療従事者が操作する、臨床検査装置、検査室情報システム、電子カルテを含む病院情報システム、撮影機能を備えている情報端末、のうち少なくとも何れかのシステムに実行させるプログラムであって、
被験者を特定する個人情報を含んだ検査結果画面を表示装置に表示させる表示手順と、
前記表示手順で表示された前記検査結果画面の中から前記個人情報を特定する特定手順と、
前記検査結果画面を含む撮像画像中から前記特定手順で特定された前記個人情報を無効化する無効化手順と、を有し、
前記表示装置は、前記臨床検査装置、前記検査室情報システム、あるいは前記病院情報システムに設置されている
ことを特徴とするプログラム。
【請求項２６】
医療従事者が操作するシステムを構成する処理装置が読み取り可能な記録媒体であって、
前記記録媒体はコンピュータプログラムを記録しており、
前記コンピュータプログラムが前記処理装置で実行されたとき、前記システムに請求項２５に記載された各手順を実行させる
ことを特徴とする記録媒体。
【発明の詳細な説明】
【技術分野】
【０００１】
本発明は、表示装置、情報端末、個人情報の保護方法、およびプログラムとそれを記録する記録媒体に関する。
【背景技術】
【０００２】
操作者の種別によって、表示する情報を切り替える装置が特許文献１に記載されている。この特許文献１には、技術者が、誤って個人情報を外部に出力してしまうリスクを低減するとともに、使用者が、必要とする個人情報を含めて分析結果を出力することを目的として、操作者が検体検査装置にログインするとき、情報処理ユニットは、使用者ＩＤ及びパスワードの入力を受け付け、使用者認証を行い、ログインされた操作者が一般使用者である場合、患者ＩＤ、患者の氏名、担当医、病棟、患者コメント等の患者属性情報を検査結果と共に出力して、一方、ログインされた操作者が技術者である場合、患者属性情報を出力することなく、検査結果を出力する、ことが記載されている。
【先行技術文献】
【特許文献】
【０００３】
【特許文献１】特開２０１１−０３３５３６号公報
【発明の概要】
【発明が解決しようとする課題】
【０００４】
臨床検体を分析する臨床検査装置には、被験者から採取された検体を検査して得られた分析結果と、例えば氏名のような被験者を特定可能な個人情報とが関連付けられて記録されている。このような被験者を特定可能な個人情報は、個人情報保護のために外部への漏洩の防止が要請されている。【０００５】
上述した特許文献１には、メンテナンスを実施するサービスマンの種別に属する操作者によって操作される場合には、被験者属性情報のうち少なくとも一部を含まず、誤って個人情報が表示されることを防止する技術が記載されている。【０００６】
ここで、臨床検査装置のユーザである検査技師の間では、分析装置の操作方法や患者データの見方等について情報共有ネットワークの一環であるグループチャットによって議論が交わされることがある。【０００７】
なお、本発明におけるグループチャットとは、リアルタイムに連絡を取り合えるチャットの機能・サービスのうち、複数名が同時に接続してグループとしてチャットを行うことができる様々な公知のＳＮＳ（Ｓｏｃｉａｌ  Ｎｅｔｗｏｒｋｉｎｇ  Ｓｅｒｖｉｃｅ）用のソフトウェア／アプリケーションであり、例えばＬＩＮＥ（登録商標）や微信（登録商標）等が挙げられる。【０００８】
このようなグループチャットを用いることによって、検査技師の間での情報交換をスムーズに行うことが可能となる。例えば、分析装置の操作に慣れていない検査技師や経験の浅い検査技師が経験豊富な検査技師からのアドバイスを受けやすくなり、検査技術の向上に寄与している。【０００９】
臨床検体を分析する分析装置に表示される情報には患者の特定につながる個人情報が含まれているが、グループチャット上で分析装置の表示画面がそのまま掲載されることがあり、個人情報に配慮した技術を適用することが望まれている。【００１０】
上述の特許文献１では、ユーザが外部のユーザとＣＣＤカメラやモバイルを用いることで検査結果画面の情報を共有することが想定されておらず、個人情報の保護を更に向上させる技術が望まれている。【００１１】
本発明は上述した課題に鑑みなされたものであって、外部のユーザに誤って個人情報が表示されることを従来に比べて抑制し、且つ検査結果情報の共有をスムーズに実現する表示装置、情報端末、個人情報の保護方法、およびプログラムとそれを記録する記録媒体を提供することを目的とする。
【課題を解決するための手段】
【００１２】
本発明は、上記課題を解決する手段を複数含んでいるが、その一例を挙げるならば、医療従事者が操作する、臨床検査装置、検査室情報システム、電子カルテを含む病院情報システム、のうち少なくとも何れかのシステムに供えられている表示装置であって、被験者を特定する個人情報を含んだ検査結果画面を表示する表示部と、前記検査結果画面の中から前記個人情報を特定し、前記検査結果画面を含む撮像画像中から前記特定された前記個人情報を無効化するための無効化処理を実行する演算処理部と、を有することを特徴とする。【００１３】
また、他の一例をあげるならば、医療従事者が操作する臨床検査装置、検査室情報システム、電子カルテを含む病院情報システム、撮影機能を備えている情報端末、のうち少なくとも何れかからなるシステムにおける個人情報の保護方法であって、被験者を特定する個人情報を含んだ検査結果画面を前記臨床検査装置、前記検査室情報システム、あるいは前記病院情報システムに設置されている表示部に表示する表示工程と、前記表示工程で表示された前記検査結果画面の中から前記個人情報を特定する特定工程と、前記検査結果画面を含む撮像画像中から前記特定工程で特定された前記個人情報を無効化する無効化工程と、を有することを特徴とする。
【発明の効果】
【００１４】
本発明によれば、外部のユーザに誤って個人情報が表示されることを従来に比べて抑制し、且つ検査結果情報の共有をスムーズに実現することができる。上記した以外の課題、構成および効果は、以下の実施例の説明により明らかにされる。
【図面の簡単な説明】
【００１５】
【図１】本発明の実施例１の臨床検査装置とモバイルの機能ブロック図の一例を説明する図である。
【図２】本発明の実施例１の臨床検査装置とモバイルにおける個人情報保護のための構成と表示画面の一例を説明する図である。
【図３】本発明の実施例１のモバイルにおける表示画面の一例を説明する図である。
【図４】本発明の実施例２の臨床検査装置、検査室情報システム用端末、および病院情報システム用端末における個人情報保護のための設定画面の一例を示す図である。
【図５】本発明の実施例３の臨床検査装置における、個人情報保護マークの表示の有無を選択する画面の一例を示す図である。
【図６】本発明の実施例３の臨床検査装置における、個人情報保護マークの表示の有無を選択する画面の一例を示す図である。
【図７】本発明の実施例４の臨床検査装置における、個人情報表示の切り替えの画面の一例を示す図である。
【図８】本発明の実施例４の臨床検査装置における、個人情報表示の切り替えの画面の一例を示す図である。
【図９】本発明の実施例５の臨床検査装置の構成の概略を説明する図である。
【図１０】本発明の実施例５の臨床検査装置における、個人情報表示の切り替えの画面の一例を示す図である。
【図１１】本発明の実施例５の臨床検査装置における、個人情報表示の切り替えの画面の一例を示す図である。
【図１２】本発明の実施例５の臨床検査装置における動作フローの一例を説明する図である。
【図１３】本発明の実施例６の臨床検査装置の構成の概略を説明する図である。
【図１４】本発明の実施例６の臨床検査装置における動作フローの一例を説明する図である。
【図１５】本発明の実施例７のモバイルにおける個人情報保護のための構成と表示画面の一例を説明する図である。
【図１６】本発明の実施例７のモバイルにおける動作フローの一例を説明する図である。
【図１７】本発明の実施例８のモバイルにおける個人情報保護のための構成と表示画面の一例を説明する図である。
【図１８】本発明の実施例８のモバイルにおける動作フローの一例を説明する図である。
【図１９】本発明の実施例９の臨床検査装置とモバイルにおける個人情報保護のための構成と表示画面の一例を説明する図である。
【図２０】本発明の実施例９の臨床検査装置およびモバイルにおける動作フローの一例を説明する図である。
【図２１】本発明の実施例１０の臨床検査装置とモバイルにおける個人情報保護のための構成と表示画面の一例を説明する図である。
【図２２】本発明の実施例１０の臨床検査装置における、マスクエリアコードの保持する情報の一例を示す図である。
【図２３】本発明の実施例１０の臨床検査装置における、マスクエリアコードの保持する情報の一例を示す図である。
【図２４】本発明の実施例１０の臨床検査装置およびモバイルにおける動作フローの一例を説明する図である。
【発明を実施するための形態】
【００１６】
以下に本発明の表示装置、情報端末、個人情報の保護方法、およびプログラムとそれを記録する記録媒体の実施例を、図面を用いて説明する。
【００１７】
＜実施例１＞  
本発明のコンピュータ表示装置、情報端末、個人情報の保護方法、およびプログラムとそれを記録する記録媒体の実施例１について図１乃至図３を用いて説明する。
【００１８】
最初に、本発明のコンピュータ表示装置、情報端末、個人情報の保護方法、およびプログラムとそれを記録する記録媒体が好適に適用されるシステムと実行するための構成について図１を用いて説明する。図１は、本実施例のコンピュータ表示装置、情報端末、個人情報の保護方法、およびプログラムとそれを記録する記録媒体を実現する臨床分析装置およびモバイルの機能ブロック図である。
【００１９】
本実施例のコンピュータプログラムは、モバイル９のカメラ９ｂが臨床検査装置１の検査結果画面３（図２参照）に表示される個人情報保護マーク１０（図２参照）を認識して、指定された個人情報を非表示の画像に処理することにより、個人情報の保護を図るものである。
【００２０】
そのために、本実施例の医療従事者が操作するシステムに実行させるコンピュータプログラムは、図１に示すような、臨床検査装置１およびモバイル９により実行される。本実施例では、ユーザとなる医療従事者は検査技師が主である。
【００２１】
臨床検査装置１は、血液や尿などの患者から採取される検体を分析する装置であり、例えば、生化学自動分析装置や免疫自動分析装置などである。この臨床検査装置１は、図１に示すように、分析部１ａと、分析部動作制御部１ｂと、分析演算処理部１ｃと、記録部１ｄと、通信処理部１ｅと、演算処理部１ｆと、モニタ部２とを有している。
【００２２】
分析部１ａは、検体の分析に用いられる公知の各機器で構成されており、その詳細は省略する。
【００２３】
分析部動作制御部１ｂは、分析部１ａを含めた臨床検査装置１内の各構成要素の動作を制御するＣＰＵやメモリなどで構成される。
【００２４】
分析演算処理部１ｃはＣＰＵやメモリなどで構成され、分析部１ａによって得られた被験者から採取された検体の分析結果に基づいて、検体に含まれる生体成分の濃度を演算する。
【００２５】
記録部１ｄは、臨床検査装置１内に投入された検体に関するデータや、分析結果を記録しているフラッシュメモリ等の半導体メモリやＨＤＤ等の磁気ディスク等の記録媒体である。この記録部１ｄは、また、臨床検査装置１内の各機器の動作の制御や後述する各種演算処理等を実行するための様々なコンピュータプログラム等を記録している。
【００２６】
本実施例の記録部１ｄでは、特に、後述するような被験者を特定する個人情報を含んだ検査結果画面３をモニタ部２に表示させる表示処理と、臨床検査装置１のモニタ部２に表示された検査結果画面３の中から個人情報を特定する特定処理の一部を実行するためのコンピュータプログラムを記録している。
【００２７】
通信処理部１ｅは、無線あるいは有線の通信手段を介しての臨床検査装置１内の各機構との通信処理や、モバイル９やＬＩＳ（検査室情報システム：Ｌａｂｏｒａｔｏｒｙ  Ｉｎｆｏｒｍａｔｉｏｎ  Ｓｙｓｔｅｍ），ＨＩＳ（病院情報システム：Ｈｏｓｐｉｔａｌ  Ｉｎｆｏｒｍａｔｉｏｎ  Ｓｙｓｔｅｍ）、インターネットサーバ１００等との通信処理を制御して情報を連携し、測定項目情報や検査結果の授受を行い、記録部１ｄに記録される検体に関する情報の内容を更新するとともに、モニタ部２に検体に関する情報の内容を表示する。
【００２８】
なお、ＬＩＳとは、臨床検査装置１の上位のシステムであり、臨床検査装置１の全体を制御する。また、ＨＩＳとは、電子カルテ、又はオーダリングシステム等の医者が操作する端末用のシステムであり、ＬＩＳの上位に位置するシステムである。
【００２９】
演算処理部１ｆは、記録部１ｄに記録されているコンピュータプログラムを実行するＣＰＵやメモリなどの処理装置で構成され、被験者を特定する個人情報を含んだ検査結果画面３をモニタ部２に表示させる表示処理（表示工程）を実行する。また、特定処理（特定工程）の一部として、モニタ部２に検査結果画面３に特定の個人情報保護マーク１０を表示させる。
【００３０】
なお、この演算処理部１ｆは、上述した分析部動作制御部１ｂや分析演算処理部１ｃと異なる装置で構成される場合について説明しているが、２つ以上の装置やシステムを一体化，共通化して、処理のみを分担してもよい。また、少なくとも一部の構成が有線もしくは無線のネットワークを介して接続されているものとすることができる。また、動作の制御処理は、１つのプログラムにまとめられていても、それぞれが複数のプログラムに別れていてもよく、それらの組み合わせでもよい。また、プログラムの一部または全てを専用ハードウェアで実現してもよく、モジュール化されていても良い。
【００３１】
モニタ部２は、測定項目情報や検査結果の表示を行う表示機器である。特に、本実施例のモニタ部２では、被験者を特定する個人情報を含んだ検査結果画面３が表示される。検査結果画面３には特定の個人情報保護マーク１０が表示される。
【００３２】
また、モバイル９は、主に検査技師が個人的に所有するあるいは臨床検査装置１に付属するスマートフォンやタブレット端末であり、表示部９ａと、カメラ９ｂと、演算処理部９ｃと、記録部９ｄと、通信処理部９ｅとを有している。
【００３３】
表示部９ａは、モバイル９を操作する検査技師に対して供給する情報を出力する部分である。例えば、ディスプレイなどで構成され、カメラ９ｂで撮像される画像や、演算処理部９ｃから供給される情報が表示される。
【００３４】
カメラ９ｂは、臨床検査装置１のモニタ部２に表示される検査結果画面３等を撮像する部分である。
【００３５】
演算処理部９ｃは、モバイル９内の各構成要素の動作を制御するＣＰＵやメモリなどの処理装置で構成される。この演算処理部９ｃは、記録部９ｄに記録されているコンピュータプログラムを実行するＣＰＵやメモリなどで構成され、臨床検査装置１のモニタ部２に表示された検査結果画面３の中から個人情報を特定する特定処理（特定工程）の一部や、検査結果画面３を含む撮像画像中から特定処理で特定された個人情報を無効化する無効化処理（無効化工程）を実行する。
【００３６】
更に、演算処理部９ｃは、グループチャットソフトウェアあるいはグループチャットアプリケーションにおいて、無効化処理によって無効化された検査結果画面３を含む撮像画像のみをアップロードさせる処理を実行する。
【００３７】
特に、本実施例のモバイル９の演算処理部９ｃは、上述の特定処理として、個人情報保護マーク１０を画像認識によって検出することで個人情報が表示されている領域を特定するとともに、無効化処理として、特定した領域を空白、あるいは保護処理する。
【００３８】
記録部９ｄは、モバイル９内の各機器の動作の制御や後述する各種演算処理等を実行するための様々なコンピュータプログラム等を記録しているフラッシュメモリ等の半導体メモリで構成される。本実施例では、特に、上述した特定処理の一部や、無効化処理、アップロードさせる処理・工程を実行させるコンピュータプログラムを記録している。
【００３９】
通信処理部９ｅは、電波を使用して臨床検査装置１の通信処理部１ｅやインターネットサーバ１００と情報の送受信を行う部分である。
【００４０】
なお、本実施例では、医療従事者が操作するシステムが、臨床検査装置１、および撮影機能を備えているモバイル９の場合について説明しているが、システムはこれに限られず、臨床検査装置１に加えて、ＬＩＳ、ＨＩＳに対しても本発明のコンピュータプログラムを適用することができる。この場合は、ＬＩＳ、あるいはＨＩＳに対してもモニタ部が設置されている必要がある。これらＬＩＳ、あるいはＨＩＳの場合は、医療従事者は、検査技師や医師がメインとなる。
【００４１】
また、本実施例では、医療従事者が操作するシステムを構成する処理装置が読み取り可能な記録媒体は、臨床検査装置１が備えている記録部１ｄと、モバイル９が備えている記録部９ｄとから構成される場合について説明している。しかし、システムに上述の各処理・手順を実行させるコンピュータプログラムを記録している記録媒体はこれらに限られない。例えば、図１に示すようなインターネットサーバ１００や、ＲＡＭ，ＤＲＡＭ，ＳＲＡＭ等の半導体メモリ、フロッピーディスクなどの磁気ディスク、ＭＯ，ＣＤ，ＤＶＤ，Ｂｌｕ−ｒａｙ（登録商標）などの光ディスク、フラッシュメモリ等の半導体メモリのうち少なくとも何れかとすることが可能であり、適宜分散させてもよい。
【００４２】
例えば、インターネットサーバ１００であれば、医療従事者がサイトにアクセスして適宜ダウンロードすることによってシステムにインストールすることができる。
【００４３】
また、臨床検査装置１の演算処理部１ｆが表示処理と特定処理の一部を実行し、モバイル９の演算処理部９ｃが特定処理の一部、および無効化処理を実行する場合について説明したが、この構成に限られず、後述する各実施例のように各種処理・手順を実行する処理装置を、臨床検査装置１、ＬＩＳ、ＨＩＳ、撮影機能を備えているモバイル９、のうち少なくとも何れかに適宜分散させることができる。
【００４４】
次に、本実施例に係るプログラムが好適に実行されることによって成される個人情報の保護方法について図２および図３を参照して説明する。図２および図３は、本実施例における、臨床検査室における個人情報保護方法の構成説明図である。
【００４５】
大まかに説明すると、本実施例における個人情報の保護方法では、モバイル９のカメラ９ｂが臨床検査装置１の検査結果画面３に表示される個人情報保護マーク１０を認識して、指定された個人情報を非表示の画像とし、それをアップロードすることで、外部に個人情報が漏れることを従来に比べて抑制しつつ、検査結果情報の共有をスムーズに実現するものである。
【００４６】
まず、臨床検査装置１の分析部１ａ、分析部動作制御部１ｂ、および分析演算処理部１ｃによって、被験者から採取された検体の分析が実行され、所定成分の濃度が求められる。求められた測定情報は、被験者を特定する情報に関連付けられた状態で臨床検査装置１の記録部１ｄ等に記録される。
【００４７】
また、求められた測定情報は、図２に示すように、臨床検査装置１のモニタ部２に、測定情報を含む検査結果画面３として表示される（表示工程）。この測定情報を含む検査結果画面３には、検体の属性を示す情報として、氏名４、性別５、検査日６が表示される。また、当該検体の測定項目７、測定結果８も表示される。
【００４８】
図２では、個人情報項目として「氏名」が「山田太郎」と表示されている。さらに、図２に示すように、氏名４を挟む配置で、個人情報保護マーク１０が表示されている（特定工程の一部）。
【００４９】
当該測定情報を含む検査結果画面３について、当該臨床検査装置１のユーザが他の医療機関のアドバイザＡやアドバイザＢに相談をするためにモバイル９にインストールされたグループチャットアプリケーションを使用することがある。
【００５０】
この際に、検査結果画面３に表示された氏名４が外部のアドバイザＡやアドバイザＢに伝わることを抑制するために、以下のような手順がモバイル９において実行される。
【００５１】
前提として、モバイル９には、臨床検査装置１の検査結果画面３を撮影するためのアプリケーションが搭載されている。更に、当該モバイル９の撮像アプリケーションには、個人情報保護マーク１０を認識する処理を実行（特定工程の一部）するとともに、個人情報保護マーク１０で挟まれた範囲を「＊」マークに置き換える機能（マスキング機能）（無効化工程）が付与されている。
【００５２】
このような撮像機能等は、予めモバイル９にインストールされていてもよいし、医療従事者が適宜インターネットのアプリケーションダウンロードサービスによってインストールしておくことが望ましい。
【００５３】
このような撮像機能を備えたモバイル９によって検査結果画面３が撮像されると、上述の特定工程により、個人情報保護マーク１０を画像認識によって検出することで個人情報が表示されている領域が特定される。また、特定された個人情報が表示されている個人情報保護マーク１０で挟まれた領域に対して、非表示やマスキング（シンボルマークで代替表示）処理がなされる。
【００５４】
その結果、図３に示すように、モバイル９で撮影した撮像画像１１は、測定情報を含む検査結果画面３に表示されていた氏名４の情報が「＊」マークで置換され、置換後の画面が記録部９ｄに保存され、表示部９ａに表示される。
【００５５】
なお、図３ではシンボルマーク「＊」で代替表示される場合について説明しているが、代替表示はシンボルマーク「＊」に限られず、様々なマークを用いることができる。また、シンボルマークで代替する場合に限られず、意味の分からない文字列（＃や＋、＝、！、＆、？、％、＠等の個人の氏名に使用されることが極めて低い文字）に代替したり、個人情報保護マーク１０で挟まれた領域を空白表示にしたり、モザイク表示にしたりすることができる。
【００５６】
上述した流れによって得られた図３に示すようなモバイル９で撮影された撮像画像１１を、他の医療機関のアドバイザＡやアドバイザＢに相談をするために情報共有ネットワークへ供することで、個人情報の保護と、他の医療機関のアドバイザとの情報交換の両立を実現する。
【００５７】
更に、モバイル９には、情報共有ネットワークに撮像画像をアップロードする際に、無効化処理によって無効化された検査結果画面３を含む撮像画像１１のみをインターネットサーバ１００に対してアップロードすることを許可する機能が備わっていることが望ましい。これにより、個人情報の保護をより効果的に図ることが可能となる。
【００５８】
なお、このアップロードを限定する機能については、グループチャットソフトウェアあるいはグループチャットアプリケーションに予め搭載しておいたり、後からプログラムの更新・修正等で後からアップデートさせたり、撮像アプリケーション側で制限したり、様々な方法によって実現することができる。
【００５９】
次に、本実施例の効果について説明する。
【００６０】
上述した本発明の実施例１の医療従事者が操作するシステムに実行させるプログラムや個人情報の保護方法では、被験者を特定する個人情報を含んだ検査結果画面３をモニタ部２に表示させる表示処理と、表示処理で表示された検査結果画面３の中から個人情報を特定する特定処理と、検査結果画面３を含む撮像画像中から特定処理で特定された個人情報を無効化する無効化処理と、を有する。
【００６１】
これによって、臨床検査装置１の操作方法や患者データの見方等についてグループチャットによって議論が交わされる際に、グループチャット上には、個人情報が特定可能な検査結果画面３ではなく、個人情報が特定不可能な撮像画像１１が表示される。このため、個人情報が外部に漏れることなく、情報交換をスムーズに行い、検査技術の向上を図ることが可能となる。すなわち、外部のユーザに誤って個人情報が表示されることを従来に比べて抑制し、且つ検査結果情報の共有をスムーズに実現することができる。
【００６２】
また、臨床検査装置１、ＬＩＳ、あるいはＨＩＳに対して、検査結果画面３に特定の個人情報保護マーク１０を表示させるとともに、モバイル９に対して、個人情報保護マーク１０を画像認識によって検出することで個人情報が表示されている領域を特定させ、無効化処理において、モバイル９に対して、領域を空白、あるいは保護処理させることで、医療従事者側で特別な手順を踏むことなく検査結果画面３から個人情報を無効化することができ、従来と同様の手順で情報交換を行うことができる。このため、医療従事者に敬遠されることなく、個人情報の保護を図ることができることが期待される。
【００６３】
また、グループチャットソフトウェアあるいはグループチャットアプリケーションにおいて、無効化処理によって無効化された検査結果画面３を含む撮像画像のみをアップロードさせる手順を更に有することにより、誤って個人情報が記載された検査結果画面３がグループチャット上に表示されることをより確実に抑制することができる。
【００６４】
＜実施例２＞  
本発明の実施例２の表示装置、情報端末、個人情報の保護方法、およびプログラムとそれを記録する記録媒体について図４を用いて説明する。図４は、本実施例における保護する個人情報の選択設定画面の一例を示す図である。なお、本実施例において実施例１と同じ構成には同一の符号を示し、説明は省略する。以下の実施例においても同様とする。
【００６５】
図４に示すように、本実施例では、特定する個人情報の種類を選択する個人情報保護設定画面１８をモニタ部１５ａ，１６ａ，１７ａに表示させる第１選択処理を更に有している。
【００６６】
この第１選択処理や表示処理を実行するプログラムは、臨床検査装置１５の記録部やＬＩＳ用端末１６の記録部、ＨＩＳ用端末１７の記録部に記録されており、各々において実行される。
【００６７】
特定処理や無効化処理を実行するプログラムについては特に限定されず、実施例１のような形態であれば一部を臨床検査装置側に、一部をモバイル側に記録され、実行するものとすることができる。また、後述する実施例３や実施例４のように臨床検査装置側で処理が完結する場合は、臨床検査装置側に記録され、実行されるものとすることができる。
【００６８】
また、第１選択処理については、後述する実施例７以降のようにモバイルでほとんどの処理が完結する場合は、モバイル側に記録され、実行されるものとすることができる。
【００６９】
ＬＩＳ用端末１６やＨＩＳ用端末１７は、図１に示す臨床検査装置１５のうち、分析部１ａ、分析部動作制御部１ｂ、および分析演算処理部１ｃを除いたものと同等の構成を備えている。例えばＬＩＳ用端末１６であれば、臨床検査装置１５の全体を制御することに必要な各種ハードウェア、ソフトウェアを搭載しており、また、ＨＩＳ用端末１７であれば、電子カルテ、又はオーダリングシステム等に必要な各種ハードウェア、ソフトウェアを搭載している。
【００７０】
個人情報保護設定画面１８では、個人情報項目毎に、表示をするか表示をしないかを設定する。図４では、「氏名」、「性別」、「検査日」、「ＩＤ  Ｎｏ．」、「カルテＮｏ．」、「担当医名」、「病棟・病室」、「測定項目名」および「測定結果」を個人情報項目の例として記載しており、個人情報として保護（無効化）する場合はチェックボックスにチェックを入れ、保護しない場合はチェックボックスを外すことによって保護の有効・無効の切り替えが可能となっている。
【００７１】
この個人情報保護設定画面１８で設定された個人情報には、実施例１のようなケースであれば、該当する個人情報を囲むように個人情報保護マーク１０が表示される。
【００７２】
なお、個人情報保護設定画面１８は、臨床検査装置１５、ＬＩＳ用端末１６、およびＨＩＳ用端末１７のそれぞれに固有の設定をすることができる。
【００７３】
また、保護する情報を追加／削除することができる。例えば、年齢などの追加情報を保護するか否かを選択する欄を追加／削除可能に構成することができる。保護する情報を追加／削除するための方法は特に限定されず、例えば、医療従事者が端末を操作して手入力で追加／削除したり、追加／削除する項目をプルダウン式で選択したりすることで実現することができる。
【００７４】
その他の構成・動作は前述した実施例１の表示装置、情報端末、個人情報の保護方法、およびプログラムとそれを記録する記録媒体と略同じ構成・動作であり、詳細は省略する。
【００７５】
本発明の実施例２の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【００７６】
また、特定する個人情報の種類を選択する個人情報保護設定画面１８をモニタ部１５ａ，１６ａ，１７ａに表示させる第１選択処理を更に有することにより、保護する個人情報を適宜選択することが可能となり、より適切な個人情報の保護を実現することができる。
【００７７】
＜実施例３＞  
本発明の実施例３の表示装置、情報端末、個人情報の保護方法、およびプログラムとそれを記録する記録媒体について図５および図６を用いて説明する。図５および図６は、本実施例における、個人情報保護マークの表示の有無を選択する画面の一例を示す図である。
【００７８】
実施例１で説明した臨床検査装置１の検査結果画面３をモバイル９で撮影することがないユーザや、撮影した画像をＳＮＳで活用をしないユーザにとっては、図２に示すような「個人情報保護マーク１０」は必要な情報の視認性を損なう憾みがある。
【００７９】
そこで、図５および図６に示すように、本実施例では、特定処理のために表示処理において表示させる個人情報保護マーク１０の表示の有無を選択するモード選択エリア３４を臨床検査装置３１のモニタ部３２に表示させる第２選択処理を更に有している。
【００８０】
この第２選択処理を実行するプログラムは、臨床検査装置３１や、実施例２で説明したようなＬＩＳ用端末１６、およびＨＩＳ用端末１７側に記録されており、実行される。特定処理の一部や無効化処理を実行するプログラムは、実施例２と同様とすることができる。
【００８１】
図５に示すように、ユーザは、検査結果画面３１Ａ中のモード選択エリア３４において、ＯＦＦモードを選択する。ＯＦＦモードが選択されたことを認識したときは、臨床検査装置３１の演算処理部は、個人情報保護マーク１０が表示されていない検査結果画面３１Ａをモニタ部３２に表示させる。
【００８２】
一方、臨床検査装置３１の画面をモバイル９で撮影し、撮影した画像をＳＮＳで活用をする際には、図６に示すように、ユーザは、モード選択エリア３４において、ＯＮモードを選択する。ＯＮモードが選択されたことを認識したときは、臨床検査装置３１の演算処理部は、個人情報保護マーク１０が表示された検査結果画面３１Ｂをモニタ部３２に表示させる。
【００８３】
その他の構成・動作は前述した実施例１の表示装置、情報端末、個人情報の保護方法、およびプログラムとそれを記録する記録媒体と略同じ構成・動作であり、詳細は省略する。
【００８４】
本発明の実施例３の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【００８５】
また、表示させる個人情報保護マーク１０の表示の有無を選択するモード選択エリア３４をモニタ部３２に表示させる第２選択処理を更に有することにより、現場における様々な使用方法に対応することができる。
【００８６】
＜実施例４＞  
本発明の実施例４の表示装置、情報端末、個人情報の保護方法、およびプログラムとそれを記録する記録媒体について図７および図８を用いて説明する。図７および図８は、本実施例における、個人情報表示の切り替えを適用した臨床検査装置の画面の一例を示す図である。
【００８７】
図７および図８に示すように、本実施例では、臨床検査装置４１の検査結果画面４４，４５上に、ユーザの指示により個人情報を表示するモードと非表示とするモードとを切り替える個人情報設定欄４３をモニタ部４２に表示させる第３選択処理を更に有するものである。
【００８８】
本実施例では、この第３選択処理や表示処理、特定処理、無効化処理を含むプログラムは、全て臨床検査装置４１側に記録されており、実行される。
【００８９】
図７に示すように、ユーザにより、臨床検査装置４１のモニタ部４２に表示される検査結果画面４４において、個人情報設定欄４３の選択で「表示モード」が選択されている。当該設定にしたがい、個人情報として氏名４６Ａは「山田太郎」とそのまま表示されている。
【００９０】
これに対し、図８に示すように、検査結果画面４５においては、個人情報設定欄４３の選択で「非表示モード」が選択されている。当該設定にしたがい、個人情報として氏名４６Ｂには「＊＊＊＊＊＊＊＊＊」とシンボルマーク表示されており、個人の特定を防止している。
【００９１】
その他の構成・動作は前述した実施例１の表示装置、情報端末、個人情報の保護方法、およびプログラムとそれを記録する記録媒体と略同じ構成・動作であり、詳細は省略する。
【００９２】
本発明の実施例４の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【００９３】
また、無効化処理において、特定処理で特定された個人情報が表示される領域を空白、あるいは保護処理することで個人情報を無効化するモードと、個人情報をそのまま表示させるモードとを選択する個人情報設定欄４３をモニタ部４２に表示させる第３選択処理を更に有することにより、モバイル側の構成に関わらず、個人情報を無効化した検査結果画面４５を情報共有ネットワークへ供することが可能となり、より効果的に個人情報の保護を図ることができる。
【００９４】
＜実施例５＞  
本発明の実施例５の表示装置、情報端末、個人情報の保護方法、およびプログラムとそれを記録する記録媒体について図９乃至図１２を用いて説明する。図９は臨床検査装置の構成の概略を説明する図、図１０および図１１は個人情報表示の切り替えの画面の一例を示す図、図１２は動作フローの一例を説明する図である。
【００９５】
本実施例では、ユーザが所有するモバイルによってモニタ部５２に表示された検査結果画面５４が撮影されるか否かについて、臨床検査装置５１に設けられたカメラ５３による撮像画像を画像処理することで判定し、撮影される場合は自動で上述の実施例３や実施例４のように個人情報が表示される領域を無効化した検査結果画面５５を表示するものである。
【００９６】
本実施例では、表示処理、特定処理、無効化処理を含むプログラムは、全て臨床検査装置５１側に記録されており、実行される。
【００９７】
図９に示すように、臨床検査装置５１は、図１０に示すような検査結果画面５４や図１１に示すような検査結果画面５５を表示するモニタ部５２に加えて、ユーザによってモニタ部５２に表示された検査結果画面５４が撮像されているか否かを確認するためのカメラ５３を有している。
【００９８】
以下、本実施例の臨床検査装置５１の動作について図１２を用いて説明する。臨床検査装置５１は、図１２に示す処理フローを装置電源がＯＮの間、あるいは検査結果画面５４，５５を表示している間は絶えず実行する。
【００９９】
まず、臨床検査装置５１の演算処理部は、現在の臨床検査装置５１に求められている個人情報保護設定モードが保護モードであるか否かを判定する（ステップＳ５０１）。例えばこれは実施例３や実施例４のような方法によって設定される。本ステップにおいて保護モードであると判定されたときは処理をステップＳ５０２に進める。これに対し、保護モードであると判定されなかったときは処理をステップＳ５０５に進める。
【０１００】
次いで、演算処理部は、カメラ５３に撮像画像を画像処理して、ユーザがモニタ部５２の前でモバイル９を構えているか否かを判定する（ステップＳ５０２）。構えていると判定されたときは、処理をステップＳ５０３に進める。これに対し、構えていると判定されなかったときは処理をステップＳ５０５に進める。
【０１０１】
次いで、演算処理部は、モニタ部５２に内蔵されたカメラ５３により「撮影される」ことを認識する（ステップＳ５０３）。
【０１０２】
次に、演算処理部は、モニタ部５２に表示されている画面を、個人情報を保護した検査結果画面５５に変化させる（ステップＳ５０４）。
【０１０３】
図１１に示すように、検査結果画面５５では、個人情報項目として氏名５６Ｂが「＊＊＊＊＊＊＊＊＊」とシンボルマークで表示される。
【０１０４】
これに対し、ステップＳ５０１で保護モードでないと判定されたときやモバイル９を構えていないと判定されたときはモニタ部５２に表示されている画面を、個人情報を保護していない検査結果画面５４に変化させる（ステップＳ５０４）。
【０１０５】
図１０に示すように、検査結果画面５４では、個人情報項目として氏名５６Ａが「山田太郎」とそのまま表示される。
【０１０６】
その他の構成・動作は前述した実施例１の表示装置、情報端末、個人情報の保護方法、およびプログラムとそれを記録する記録媒体と略同じ構成・動作であり、詳細は省略する。
【０１０７】
本発明の実施例５の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【０１０８】
また、無効化処理において、臨床検査装置５１に対して、モバイルによる撮影を検知した時に、モニタ部５２に表示させている検査結果画面５４中の個人情報が表示される領域を空白、あるいは保護処理させることによっても、モバイル側の構成に関わらず、個人情報を無効化した検査結果画面５５を情報共有ネットワークへ供することが可能となり、より効果的に個人情報の保護を図ることができる。
【０１０９】
なお、本実施例では、カメラ５３によって検査結果画面５４，５５が撮像されるか否かを検知する場合について説明したが、撮像されるか否かを検知する手法はこれに限られず、例えば、モバイルのカメラアプリが起動されたことをモバイル側からの通知によって検知することができる。この通知はカメラ５３による検知に替えてもよいし、両方を順不同で実行することができる。
【０１１０】
＜実施例６＞  
本発明の実施例６の表示装置、情報端末、個人情報の保護方法、およびプログラムとそれを記録する記録媒体について図１３および図１４を用いて説明する。図１３は臨床検査装置の構成の概略を説明する図、図１４は動作フローの一例を説明する図である。
【０１１１】
本実施例では、図１３に示すように、臨床検査装置６１のモニタ部６２上の画面情報転送６５の選択による指示で検査結果画面６３のスクリーンショットをとって、自動で個人情報を消した画像にして、個人用あるいは装置付属のモバイル６７に転送、又はＳＮＳサーバ６６にアップロード、又はプリンタ６８に出力される。
【０１１２】
個人情報を無効化するタイミングは特に限定されず、例えば画面情報転送６５の選択時に無効化することができる。しかし、スクリーンショット後のアップロードまでの任意のタイミングでスクリーンショット画像中の個人情報を無効化できればよい。
【０１１３】
本実施例では、表示処理、特定処理、無効化処理、アップロード処理を含むプログラムは、全て臨床検査装置６１側に記録されており、実行される。
【０１１４】
以下、本実施例の臨床検査装置６１の動作について図１４を用いて説明する。
【０１１５】
まず、臨床検査装置６１の演算処理部は、ユーザにより「画面情報転送６５」が指定されたことを認識する（ステップＳ６０１）。
【０１１６】
次いで、臨床検査装置６１の演算処理部は、予め設定された個人情報がマスキングまたは非表示にしたスクリーンショット画像を保存する（ステップＳ６０２）。保存されるスクリーンショット画像は、例えば上述の図１１に示すようなものである。
【０１１７】
次いで、臨床検査装置６１の演算処理部は、ユーザの指示に従い個人情報が保護されたスクリーンショット画像をユーザの指定したＳＮＳサーバ６６、モバイル６７、プリンタ６８などの出力手段へ出力する（ステップＳ６０３）。
【０１１８】
その他の構成・動作は前述した実施例１の表示装置、情報端末、個人情報の保護方法、およびプログラムとそれを記録する記録媒体と略同じ構成・動作であり、詳細は省略する。
【０１１９】
本発明の実施例６の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【０１２０】
また、無効化処理において、臨床検査装置６１に対して、検査結果画面６３の中から個人情報が表示される領域を空白、あるいは保護処理させた画面情報を出力させることによっても、モバイル側の構成に関わらず、個人情報を無効化した検査結果画面を情報共有ネットワークへ供することが可能となる。
【０１２１】
＜実施例７＞  
本発明の実施例７の表示装置、情報端末、個人情報の保護方法、およびプログラムとそれを記録する記録媒体について図１５および図１６を用いて説明する。図１５はモバイルにおける個人情報保護のための構成と表示画面の一例を説明する図、図１６は動作フローの一例を説明する図である。
【０１２２】
本実施例では、臨床検査装置７１毎に専用の撮像アプリケーション７４をモバイル７３に用意し、モバイル７３の演算処理装置に対して、検査結果画面７２中の個人情報が表示されている領域を特定する。
【０１２３】
本実施例では、表示処理を含むプログラムは臨床検査装置７１側に、特定処理や無効化処理を含むプログラムはモバイル７３側に記録されており、実行される。
【０１２４】
図１５に示すように、モバイル７３には、臨床検査装置７１に対応した、専用の個人情報保護撮影機能を備えた撮像アプリケーション７４が搭載されている。この撮像アプリケーション７４によって検査結果画面７２が撮像されると、検査結果画像７５のように、個人情報がマスキング処理した画像が取得される。
【０１２５】
臨床検査装置７１に表示される検査結果画面７２は、基本的に装置の型番や装置メーカで特有の画面であり、個人情報が表示されている領域はその特有の検査結果画面からある程度特定することができる。そのため、無効化すべき領域も特定することができる。そこで、臨床検査装置やＬＩＳ，ＨＩＳ毎に専用の撮像アプリケーションを予め用意して、個人情報が記載された領域を特定し、無効化する。
【０１２６】
以下、本実施例のモバイル７３の動作について図１６を用いて説明する。
【０１２７】
最初に、モバイル７３のユーザ（ユーザ）は、モバイル７３に搭載されている臨床検査装置７１に対応した撮像アプリケーション７４を起動させる。次に、起動した当該アプリケーションの画面において、保護する個人情報を選択する。図１５では、「氏名」と「ＩＤ  Ｎｏ」を選択している場合を示している。
【０１２８】
次いで、図１６に示すように、モバイル７３の演算処理部は、臨床検査装置７１に表示されている検査結果画面７２の情報から個人情報を選択してマスキング処理する（ステップＳ７０１）。
【０１２９】
その後、ユーザにより検査結果画面７２の撮像動作がなされたことを認識する（ステップＳ７０２）と、モバイル７３の演算処理部は、個人情報（「氏名」と「ＩＤ  Ｎｏ」）がマスキングされることで保護された検査結果画像７５を記録部などに保存する（ステップＳ７０３）。
【０１３０】
その後、インターネットサーバ１００上に検査結果画像７５がアップロードされ（ステップＳ７０４）、ユーザは、アップロードされた検査結果画像７５をＳＮＳで共有し、内容の相談を行うことができる。
【０１３１】
その他の構成・動作は前述した実施例１の表示装置、情報端末、個人情報の保護方法、およびプログラムとそれを記録する記録媒体と略同じ構成・動作であり、詳細は省略する。
【０１３２】
本発明の実施例７の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【０１３３】
また、臨床検査装置７１、ＬＩＳ、あるいはＨＩＳ毎に、モバイル７３に対して、検査結果画面７２から画像処理によって個人情報が表示されている領域を特定させることにより、臨床検査装置７１側の構成に関わらず、個人情報を無効化した検査結果画像７５を情報共有ネットワークへ提供することが可能となり、既存の臨床検査装置７１やＬＩＳ，ＨＩＳにおいても適切な個人情報の保護と検査結果情報の共有の両立を図ることができる。
【０１３４】
＜実施例８＞  
本発明の実施例８の表示装置、情報端末、個人情報の保護方法、およびプログラムとそれを記録する記録媒体について図１７および図１８を用いて説明する。図１７はモバイルにおける個人情報保護のための構成と表示画面の一例を説明する図、図１８は動作フローの一例を説明する図である。
【０１３５】
本実施例では、モバイル８３の撮像アプリケーション８４内で臨床検査装置８１Ａ，８１Ｂの種類を選択し、装置の選択結果に応じて、検査結果画面８２から画像処理によって個人情報が表示されている領域を特定する。
【０１３６】
本実施例では、表示処理を含むプログラムは臨床検査装置８１Ａ，８１Ｂ側に、特定処理、無効化処理を含むプログラムはモバイル８３側に記録されており、実行される。
【０１３７】
図１７に示すように、モバイル８３には、臨床検査装置８１Ａ，８１Ｂの種類が記録されており、選択された臨床検査装置８１Ａ，８１Ｂの種類に応じた個人情報保護撮影機能を備えた撮像アプリケーション８４が搭載されている。
【０１３８】
実施例７で説明したように、基本的に、臨床検査装置やＬＩＳ，ＨＩＳに表示される検査結果画面から無効化すべき個人情報が記載された領域は装置が判明することで特定可能である。そこで、モバイル８３の撮像アプリケーション８４内で臨床検査装置８１Ａ，８１Ｂの種類を選択することで検査結果画面８２から個人情報が記載された領域を特定し、無効化した検査結果画像８５を生成する。
【０１３９】
以下、本実施例のモバイル８３の動作について図１８を用いて説明する。
【０１４０】
最初に、ユーザにより、撮影する臨床検査装置８１Ａ，８１Ｂがいずれであるかをモバイル８３内の撮像アプリケーション８４で選択すると、モバイル８３の演算処理装置はその種類を特定する（ステップＳ８０１）。ここでは臨床検査装置８１Ａが選択された場合を例に説明する。
【０１４１】
次いで、モバイル８３の演算処理装置は臨床検査装置８１Ａに表示されている検査結果画面８２の情報から個人情報を選択してマスキング処理する（ステップＳ８０２）。
【０１４２】
その後、ユーザにより検査結果画面８２の撮像動作がなされたことを認識する（ステップＳ８０３）と、モバイル８３の演算処理部は、個人情報がマスキングされることで保護された検査結果画像８５を保存する（ステップＳ８０４）。
【０１４３】
その後、インターネットサーバ１００上に検査結果画像８５がアップロードされ（ステップＳ８０５）、ユーザは、アップロードされた検査結果画像８５をＳＮＳで共有し、内容の相談を行うことができる。
【０１４４】
ユーザは、臨床検査装置８１Ｂの画像を撮影する場合には装置選択のステップＳ８０１において臨床検査装置８１Ｂを選択すればよい。
【０１４５】
その他の構成・動作は前述した実施例１の表示装置、情報端末、個人情報の保護方法、およびプログラムとそれを記録する記録媒体と略同じ構成・動作であり、詳細は省略する。
【０１４６】
本発明の実施例８の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【０１４７】
また、臨床検査装置８１Ａ，８１Ｂの種類を選択させ、選択に応じて検査結果画面８２から画像処理によって個人情報が表示されている領域を特定させることにより、臨床検査装置８１Ａ，８１Ｂ側の構成に関わらず、個人情報を無効化した検査結果画像８５を情報共有ネットワークへ提供することが可能となる。また、実施例７のように装置毎に専用の撮像アプリケーションを準備する必要がなくなる、との利点を有している。
【０１４８】
＜実施例９＞  
本発明の実施例９の表示装置、情報端末、個人情報の保護方法、およびプログラムとそれを記録する記録媒体について図１９および図２０を用いて説明する。図１９は臨床検査装置とモバイルにおける個人情報保護のための構成と表示画面の一例を説明する図、図２０は動作フローの一例を説明する図である。
【０１４９】
実施例７，８で説明したように、臨床検査装置やＬＩＳ，ＨＩＳに表示される検査結果画面から無効化すべき個人情報が記載された領域は装置が判明することで特定可能である。
【０１５０】
そこで、本実施例では、図１９に示すように、臨床検査装置９１，９２の種類を、モニタ部に表示された検査結果画面９４，９５内の装置の種類を特定するための装置コード９３Ａ，９３Ｂをモバイル９６の撮像アプリケーション９７によって認識させ、個人情報が記載された領域を特定し、無効化した検査結果画面を生成する。
【０１５１】
本実施例では、表示処理を含むプログラムは臨床検査装置９１，９２側に、特定処理、無効化処理を含むプログラムはモバイル９６側に記録されており、実行される。
【０１５２】
本実施例における装置コード９３Ａ，９３Ｂは、例えば、臨床検査装置９１，９２の検査結果画面９４，９５に表示される装置種類特定用の専用のコードであるが、この他にも、検査結果画面９４，９５に表示される装置の名称や型番、情報処理ソフトウェアの名称やバージョン等、装置を特定することが可能な様々な情報とすることができる。
【０１５３】
以下、本実施例のモバイル９６の動作について図２０を用いて説明する。
【０１５４】
まず、ユーザによりモバイル９６の撮像アプリケーション９７が起動されたことを認識する（ステップＳ９０１）と、モバイル９６の演算処理部は、装置コード認識モードに移行する（ステップＳ９０２）。
【０１５５】
次いで、ユーザにより装置コード９３Ａ，９３Ｂが撮影されたことを認識する（ステップＳ９０３）と、モバイル９６の演算処理部は、画像処理により臨床検査装置９１，９２の種類を認識する（ステップＳ９０４）。
【０１５６】
例えば、臨床検査装置９１の検査結果画面９４を撮像する場合は、装置コード９３Ａを読み取る。モバイル９６により装置コード９３Ａが読み取られると、モバイル９６は、撮影する対象が臨床検査装置９１と認識する。
【０１５７】
次いで、モバイル９６の演算処理部は、撮影モードに移行する（ステップＳ９０５）。
【０１５８】
その後、ユーザにより検査結果画面９４，９５の撮像動作がなされたことを認識する（ステップＳ９０６）と、モバイル９６の演算処理部は、マスキングにより個人情報が保護された検査結果画像を保存する（ステップＳ９０７）。
【０１５９】
その後、インターネットサーバ１００上に検査結果画像がアップロードされ（ステップＳ９０８）、ユーザは、アップロードされた検査結果画像をＳＮＳで共有し、内容の相談を行うことができる。
【０１６０】
ユーザは、臨床検査装置９２の画像を撮影する場合にはステップＳ９０４において臨床検査装置９２の検査結果画面９５に表示された装置コード９３Ｂを読み取ればよい。
【０１６１】
なお、ステップＳ９０１の撮像アプリケーション９７の起動後にステップＳ９０２乃至Ｓ９０４を省略してステップＳ９０５の撮影モードに直接移行して、撮像した検査結果画面９４，９５から装置コード９３Ａ，９３Ｂを認識するとともに、その認識した装置コード９３Ａ，９３Ｂから個人情報が表示されている領域を特定して無効化する処理とすることができる。この処理であれば、装置コード９３Ａ，９３Ｂを認識するための処理が不要となり、利便性がさらに向上する。
【０１６２】
その他の構成・動作は前述した実施例１の表示装置、情報端末、個人情報の保護方法、およびプログラムとそれを記録する記録媒体と略同じ構成・動作であり、詳細は省略する。
【０１６３】
本発明の実施例９の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【０１６４】
また、モバイル９６に対して、検査結果画面９４，９５に含まれる装置またはシステムを認識するコードを識別することで個人情報が表示されている領域を特定させることによっても、主にモバイル９６側の処理で個人情報を無効化した検査結果画面を情報共有ネットワークへ提供することが可能となる。また、実施例７のように装置毎に専用のアプリケーションを用意する必要がなく、実施例８のように装置をユーザが選択する必要もなくなり、よりユーザにやさしい、との利点を有している。
【０１６５】
＜実施例１０＞  
本発明の実施例１０の表示装置、情報端末、個人情報の保護方法、およびプログラムとそれを記録する記録媒体について図２１乃至図２４を用いて説明する。図２１は臨床検査装置とモバイルにおける個人情報保護のための構成と表示画面の一例を説明する図である。図２２および図２３は、マスクエリアコードの保持する情報の一例を示す図である。図２４は動作フローの一例を説明する図である。
【０１６６】
本実施例では、表示処理において、臨床検査装置１０１等に対して、検査結果画面１０２に、無効化処理において無効化する領域を特定するコード、無効化しない領域を特定するコード、無効化する領域および無効化しない領域を特定するコード、のうち何れかを表示させるものである。また、モバイルに対して、表示処理で表示されたコードを読み取らせることで個人情報が表示されている領域を特定させるものである。
【０１６７】
図２１に示すように、臨床検査装置１０１のモニタ部に表示されている検査結果画面１０２には、マスクエリアコード１０３が表示されている。また、モバイルには、マスクエリアコード１０３の情報を読み取り、読み取った情報に基づいて撮影するアプリケーションが搭載されている。
【０１６８】
このマスクエリアコード１０３は、当該画面がモバイルや携帯端末で撮影される場合に、どのエリアを表示するか、または、どのエリアを表示しないかを、規定するコードである。
【０１６９】
マスクエリアコード１０３は、例えば図２２や図２３に示すように、臨床検査装置１０１のモニタ部に表示される検査結果画面を２６０個のエリアに細分化し、細分化したエリアに番号を付した上で、マスキングする領域１０６がいずれであるかを特定するコードである。
【０１７０】
図２２には、初期状態、すなわちマスクエリアなしの状態を示している。図２３には、領域３−１０，２３−３０に区分される範囲をマスキングする、ことを規定しているコードを示している。
【０１７１】
なお、マスクエリアコードは、個人情報が表示されている領域を特定する情報が記されているコードに限られず、個人情報が表示されてない領域を特定する情報が記されているコード、あるいは個人情報が表示されている領域および表示されていない領域を特定する情報が記されているコードの何れかとすることができる。
【０１７２】
本実施例では、表示処理を含むプログラムは臨床検査装置１０１側に、特定処理、無効化処理を含むプログラムは、モバイル側に記録されている。
【０１７３】
以下、本実施例の臨床検査装置１０１およびモバイルの動作について図２４を用いて説明する。
【０１７４】
まず、ユーザによりモバイルの撮像アプリケーションが起動されたことを認識する（ステップＳ１００１）と、モバイルの演算処理部は、マスクエリアコード認識モードに移行する（ステップＳ１００２）。
【０１７５】
次いで、ユーザにより、マスクエリアコード１０３が撮影されたことを認識する（ステップＳ１００３）と、モバイルの演算処理部は、マスクエリアコードを認識する（ステップＳ１００４）。
【０１７６】
次いで、モバイル９６の演算処理部は、撮影モードに移行する（ステップＳ１００５）。
【０１７７】
その後、ユーザにより検査結果画面１０２の撮像動作がなされたことを認識する（ステップＳ１００６）と、モバイルの演算処理部は、マスクエリアコード１０３に基づいて個人情報をマスキングすることで個人情報が保護された検査結果画像を保存する（ステップＳ１００７）。
【０１７８】
その後、インターネットサーバ１００上に検査結果画像がアップロードされ（ステップＳ１００８）、ユーザは、アップロードされた検査結果画像をＳＮＳで共有し、内容の相談を行うことができる。
【０１７９】
その他の構成・動作は前述した実施例１の表示装置、情報端末、個人情報の保護方法、およびプログラムとそれを記録する記録媒体と略同じ構成・動作であり、詳細は省略する。
【０１８０】
本発明の実施例１０の表示装置、情報端末、個人情報の保護方法、およびプログラムとそれを記録する記録媒体においても、前述した実施例１の表示装置、情報端末、個人情報の保護方法、およびプログラムとそれを記録する記録媒体とほぼ同様な効果が得られる。
【０１８１】
また、表示処理において、臨床検査装置１０１に対して、検査結果画面１０２に、無効化処理において無効化する領域を特定するマスクエリアコード１０３、無効化しない領域を特定するコード、無効化する領域および無効化しない領域を特定するコード、のうち何れかを表示させ、モバイルに対して、コードを読み取らせることで個人情報が表示されている領域を特定させることによっても、医療従事者側で特別な手順を踏むことなく検査結果画面１０２から個人情報を無効化することができ、従来と同様の手順で情報交換を行うことができる。
【０１８２】
＜その他＞  
なお、本発明は、上記の実施例に限定されるものではなく、様々な変形例が含まれる。上記の実施例は本発明を分かりやすく説明するために詳細に説明したものであり、必ずしも説明した全ての構成を備えるものに限定されるものではない。
【０１８３】
また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることも可能である。
【符号の説明】
【０１８４】
１，１５，３１，４１，５１，６１，７１，８１Ａ，８１Ｂ，９１，９２，１０１…臨床検査装置
１ａ…分析部
１ｂ…分析部動作制御部
１ｃ…分析演算処理部
１ｄ…記録部
１ｅ…通信処理部
１ｆ…演算処理部
２，１５ａ，１６ａ，１７ａ，３２，４２，５２，６２…モニタ部（表示部）
３，３１Ａ，３１Ｂ，４４，４５，５４，５５，６３，７２，８２，９４，９５，１０２…検査結果画面（臨床検査画面）
９，６７，７３，８３，９６…モバイル（情報端末）
９ａ…表示部
９ｂ，５３…カメラ
９ｃ…演算処理部
９ｄ…記録部
９ｅ…通信処理部
１０…個人情報保護マーク（シンボルマーク）
１１…撮像画像
１６…ＬＩＳ用端末
１７…ＨＩＳ用端末
１８…個人情報保護設定画面
３４…モード選択エリア
４３…個人情報設定欄
６５…画面情報転送
６６…ＳＮＳサーバ
６８…プリンタ
７４，８４，９７…撮像アプリケーション
７５，８５…検査結果画像
９３Ａ，９３Ｂ…装置コード
１００…インターネットサーバ
１０３…マスクエリアコード
１０６…領域
【図１】
2020050109.tif 000003
【図２】
2020050109.tif 000004
【図３】
2020050109.tif 000005
【図４】
2020050109.tif 000006
【図５】
2020050109.tif 000007
【図６】
2020050109.tif 000008
【図７】
2020050109.tif 000009
【図８】
2020050109.tif 000010
【図９】
2020050109.tif 000011
【図１０】
2020050109.tif 000012
【図１１】
2020050109.tif 000013
【図１２】
2020050109.tif 000014
【図１３】
2020050109.tif 000015
【図１４】
2020050109.tif 000016
【図１５】
2020050109.tif 000017
【図１６】
2020050109.tif 000018
【図１７】
2020050109.tif 000019
【図１８】
2020050109.tif 000020
【図１９】
2020050109.tif 000021
【図２０】
2020050109.tif 000022
【図２１】
2020050109.tif 000023
【図２２】
2020050109.tif 000024
【図２３】
2020050109.tif 000025
【図２４】
2020050109.tif 000026
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
医療従事者が操作する、臨床検査装置、検査室情報システム、電子カルテを含む病院情報システム、のうち少なくとも何れかのシステムに供えられている表示装置であって、
被験者を特定する個人情報を含んだ検査結果画面を表示する表示部と、
前記表示部に表示されている最中の前記検査結果画面の中から前記個人情報を特定し、前記検査結果画面を含む撮像画像中から前記特定された前記個人情報を無効化するための無効化処理を実行する演算処理部と、を有する
ことを特徴とする表示装置。
【請求項２】
請求項１に記載の表示装置において、
前記演算処理部は、前記特定する前記個人情報の種類を選択する選択画面を前記表示部に表示する第１選択処理を実行する
ことを特徴とする表示装置。
【請求項３】
請求項１に記載の表示装置において、
前記演算処理部は、前記検査結果画面に前記個人情報を特定するためのシンボルマークを表示するモードと、前記シンボルマークを表示させないモードと、を実行する
ことを特徴とする表示装置。
【請求項４】
請求項１に記載の表示装置において、
前記演算処理部は、前記特定された前記個人情報が表示される領域を空白、あるいは保護処理することで前記個人情報を無効化するモードと、前記個人情報をそのまま表示するモードと、を選択する選択部を前記表示部に表示する第３選択処理を実行する
ことを特徴とする表示装置。
【請求項５】
請求項１に記載の表示装置において、
前記演算処理部は、前記無効化処理において、情報端末による撮影を検知した時に、前記表示部に表示させている前記検査結果画面の中の前記個人情報が表示される領域を空白、あるいは保護処理する
ことを特徴とする表示装置。
【請求項６】
請求項１に記載の表示装置において、
前記演算処理部は、前記無効化処理において、前記検査結果画面の中から前記個人情報が表示される領域を空白、あるいは保護処理させた画面情報を出力する
ことを特徴とする表示装置。
【請求項７】
臨床検査装置、検査室情報システム、電子カルテを含む病院情報システムのうち少なくともいずれかからなるシステムを操作する医療従事者が用いる、撮影機能を備えている情報端末であって、
前記システムの表示部に表示される被験者を特定する個人情報を含んだ検査結果画面の中から前記個人情報を特定するシンボルマークを画像認識によって検出することで前記個人情報が表示されている領域を特定し、前記特定された前記領域を空白、あるいは保護処理することで無効化する
ことを特徴とする情報端末。
【請求項８】
臨床検査装置、検査室情報システム、電子カルテを含む病院情報システムのうち少なくともいずれかからなるシステムを操作する医療従事者が用いる、撮影機能を備えている情報端末であって、
前記臨床検査装置、前記検査室情報システム、あるいは前記病院情報システム毎に、前記システムの表示部に表示される被験者を特定する個人情報を含んだ検査結果画面の中から、画像処理によって前記個人情報が表示されている領域を特定し、前記特定された前記領域を空白、あるいは保護処理することで無効化する
ことを特徴とする情報端末。
【請求項９】
請求項８に記載の情報端末において、
前記臨床検査装置、前記検査室情報システム、あるいは前記病院情報システムの種類を選択させ、前記選択に応じて前記検査結果画面から画像処理によって前記個人情報が表示されている領域を特定する
ことを特徴とする情報端末。
【請求項１０】
請求項８に記載の情報端末において、
前記検査結果画面に含まれる装置またはシステムを認識するコードを識別し、認識したコードに基づいて前記個人情報が表示されている領域を特定する
ことを特徴とする情報端末。
【請求項１１】
請求項８に記載の情報端末において、
前記検査結果画面に表示された、前記無効化する領域を特定するコード、無効化しない領域を特定するコード、無効化する領域および無効化しない領域を特定するコード、のうち何れかを読み取ることで個人情報が表示されている領域を特定する
ことを特徴とする情報端末。
【請求項１２】
請求項７または８に記載の情報端末において、
グループチャットソフトウェアあるいはグループチャットアプリケーションにおいて、前記無効化された前記検査結果画面を含む撮像画像のみをアップロードさせる
ことを特徴とする情報端末。
【請求項１３】
医療従事者が操作する臨床検査装置、検査室情報システム、電子カルテを含む病院情報システム、撮影機能を備えている情報端末、のうち少なくとも何れかからなるシステムにおける個人情報の保護方法であって、
被験者を特定する個人情報を含んだ検査結果画面を前記臨床検査装置、前記検査室情報システム、あるいは前記病院情報システムに設置されている表示部に表示する表示工程と、
前記表示工程により表示されている最中の前記検査結果画面の中から前記個人情報を特定する特定工程と、
前記検査結果画面を含む撮像画像中から前記特定工程で特定された前記個人情報を無効化する無効化工程と、を有する
ことを特徴とする個人情報の保護方法。
【請求項１４】
請求項１３に記載の個人情報の保護方法において、
前記特定工程において、前記臨床検査装置、前記検査室情報システム、あるいは前記病院情報システムに対して、前記検査結果画面に特定のシンボルマークを表示するとともに、前記情報端末に対して、前記シンボルマークを画像認識によって検出することで前記個人情報が表示されている領域を特定し、
前記無効化工程において、前記情報端末に対して、前記領域を空白、あるいは保護処理する
ことを特徴とする個人情報の保護方法。
【請求項１５】
請求項１３に記載の個人情報の保護方法において、
前記特定工程において特定する前記個人情報の種類を選択する選択画面を前記表示部に表示する第１選択工程を更に有する
ことを特徴とする個人情報の保護方法。
【請求項１６】
請求項１４に記載の個人情報の保護方法において、
前記特定工程において表示する前記シンボルマークの表示の有無を選択する選択部を前記表示部に表示する第２選択工程を更に有する
ことを特徴とする個人情報の保護方法。
【請求項１７】
請求項１３に記載の個人情報の保護方法において、
前記特定工程で特定された前記個人情報が表示される領域を前記無効化工程において空白、あるいは保護処理することで前記個人情報を無効化するモードと、前記個人情報をそのまま表示するモードと、を選択する選択部を前記表示部に表示する第３選択工程を更に有する
ことを特徴とする個人情報の保護方法。
【請求項１８】
請求項１３に記載の個人情報の保護方法において、
前記無効化工程において、前記臨床検査装置、前記検査室情報システム、あるいは前記病院情報システムに対して、前記情報端末による撮影を検知した時に、前記表示部に表示されている前記検査結果画面の中の前記個人情報が表示される領域を空白、あるいは保護処理する
ことを特徴とする個人情報の保護方法。
【請求項１９】
請求項１３に記載の個人情報の保護方法において、
前記無効化工程において、前記臨床検査装置、前記検査室情報システム、あるいは前記病院情報システムに対して、前記検査結果画面の中から前記個人情報が表示される領域を空白、あるいは保護処理した画面情報を出力する
ことを特徴とする個人情報の保護方法。
【請求項２０】
請求項１３に記載の個人情報の保護方法において、
前記臨床検査装置、前記検査室情報システム、あるいは前記病院情報システム毎に、前記特定工程において、前記情報端末に対して、前記検査結果画面から画像処理によって前記個人情報が表示されている領域を特定する
ことを特徴とする個人情報の保護方法。
【請求項２１】
請求項２０に記載の個人情報の保護方法において、
前記臨床検査装置、前記検査室情報システム、あるいは前記病院情報システムの種類を選択し、前記選択に応じて、前記特定工程において、前記情報端末に対して、前記検査結果画面から画像処理によって前記個人情報が表示されている領域を特定する
ことを特徴とする個人情報の保護方法。
【請求項２２】
請求項１３に記載の個人情報の保護方法において、
前記特定工程において、前記情報端末に対して、前記検査結果画面に含まれる装置またはシステムを認識するコードを識別し、認識したコードに基づいて前記個人情報が表示されている領域を特定する
ことを特徴とする個人情報の保護方法。
【請求項２３】
請求項１３に記載の個人情報の保護方法において、
前記表示工程において、前記臨床検査装置、前記検査室情報システム、あるいは前記病院情報システムに対して、前記検査結果画面に、前記無効化工程において無効化する領域を特定するコード、無効化しない領域を特定するコード、無効化する領域および無効化しない領域を特定するコード、のうち何れかを表示し、
前記特定工程において、前記情報端末に対して、前記コードを読み取らせることで個人情報が表示されている領域を特定する
ことを特徴とする個人情報の保護方法。
【請求項２４】
請求項１３に記載の個人情報の保護方法において、
グループチャットソフトウェアあるいはグループチャットアプリケーションにおいて、前記無効化工程によって無効化された前記検査結果画面を含む撮像画像のみをアップロードする工程を更に有する
ことを特徴とする個人情報の保護方法。
【請求項２５】
医療従事者が操作する、臨床検査装置、検査室情報システム、電子カルテを含む病院情報システム、撮影機能を備えている情報端末、のうち少なくとも何れかのシステムに実行させるプログラムであって、
被験者を特定する個人情報を含んだ検査結果画面を表示装置に表示させる表示手順と、
前記表示手順により表示されている最中の前記検査結果画面の中から前記個人情報を特定する特定手順と、
前記検査結果画面を含む撮像画像中から前記特定手順で特定された前記個人情報を無効化する無効化手順と、を有し、
前記表示装置は、前記臨床検査装置、前記検査室情報システム、あるいは前記病院情報システムに設置されている
ことを特徴とするプログラム。
【請求項２６】
医療従事者が操作するシステムを構成する処理装置が読み取り可能な記録媒体であって、
前記記録媒体はコンピュータプログラムを記録しており、
前記コンピュータプログラムが前記処理装置で実行されたとき、前記システムに請求項２５に記載された各手順を実行させる
ことを特徴とする記録媒体。
【手続補正２】
【補正対象書類名】明細書
【補正対象項目名】０００３
【補正方法】変更
【補正の内容】
【０００３】
プログラムとそれを記録する記録媒体を提供することを目的とする。
課題を解決するための手段
［００１２］
本発明は、上記課題を解決する手段を複数含んでいるが、その一例を挙げるならば、医療従事者が操作する、臨床検査装置、検査室情報システム、電子カルテを含む病院情報システム、のうち少なくとも何れかのシステムに供えられている表示装置であって、被験者を特定する個人情報を含んだ検査結果画面を表示する表示部と、前記表示部に表示されている最中の前記検査結果画面の中から前記個人情報を特定し、前記検査結果画面を含む撮像画像中から前記特定された前記個人情報を無効化するための無効化処理を実行する演算処理部と、を有することを特徴とする。
［００１３］
また、他の一例をあげるならば、医療従事者が操作する臨床検査装置、検査室情報システム、電子カルテを含む病院情報システム、撮影機能を備えている情報端末、のうち少なくとも何れかからなるシステムにおける個人情報の保護方法であって、被験者を特定する個人情報を含んだ検査結果画面を前記臨床検査装置、前記検査室情報システム、あるいは前記病院情報システムに設置されている表示部に表示する表示工程と、前記表示工程により表示されている最中の前記検査結果画面の中から前記個人情報を特定する特定工程と、前記検査結果画面を含む撮像画像中から前記特定工程で特定された前記個人情報を無効化する無効化工程と、を有することを特徴とする。
発明の効果
［００１４］
本発明によれば、外部のユーザに誤って個人情報が表示されることを従来に比べて抑制し、且つ検査結果情報の共有をスムーズに実現することができる。上記した以外の課題、構成および効果は、以下の実施例の説明により明らかにされる。
図面の簡単な説明
［００１５］
［図１］本発明の実施例１の臨床検査装置とモバイルの機能ブロック図の一例を説明する図である。
［図２］本発明の実施例１の臨床検査装置とモバイルにおける個人情報保護のた
【国際調査報告】
2020050109.tif 000027
2020050109.tif 000028
2020050109.tif 000029
2020050109.tif 000030